(57)【要約】【課題】  天板支持フレームの端面をボルトを介してコーナー支持部材の側端部と直接締め付けて結合することで支持枠体の連結強度を高め、脚フレームをコーナー支持部材の２面に当接させて連結することで支持強度の維持が図れるテーブルのフレーム構造を提供すること。【解決手段】  天板支持フレーム１４はコーナー支持部材３に対して、嵌合突起１０と嵌合溝１８ａによる接続と、ボルト４１による端面４、１８同士の連結で、連結強度の高い強固な支持枠体が構築でき長期使用によっても支持枠体の連結強度が維持され、一方、脚フレーム２１の上部側をコーナー支持部材３の下方に延出する垂直支持板７のＬ字の２面７ａ、７ａ’に接合することで、支持強度を高めることができ、コーナー支持部材３の外部に取付けたコーナーカバー３０がボルト接続を外部から見えないように隠蔽できるばかりでなく、コーナー支持部材３の補強効果もある。【選択図】  図３
2005185600.tif 000002
【特許請求の範囲】
【請求項１】
天板支持フレームの両端にコーナー支持部材の側端部を接続させて支持枠体を構成し、該コーナー支持部材の下方に脚フレームを設けて前記支持枠体を支持させ、該支持枠体の上部に天板を取り付けたテーブルのフレーム構造であって、
前記コーナー支持部材は上面視略Ｌ字形の上面支持板と、この上面支持板の下面から下方に延設された上面視上面支持板と同じ向きのＬ字形の垂直支持板と、該垂直支持板の両側端部に接続した端部支持板と、該端部支持板の面部に直行して外方に突出する嵌合突起を有し、上面視略Ｌ字形の脚フレームの上部側を前記垂直支持板のＬ字面と接合し、前記天板支持フレームの両端面に前記嵌合突起が嵌合する嵌合溝と雌ネジ部とを設け、前記嵌合突起を嵌合溝と嵌合し、かつ前記端部支持板の嵌合突起の反対側から端部支持板に設けた通孔を挿通するボルトを前記雌ネジ部に螺合することにより両端部支持板と隣り合う天板支持フレームとを接合し、かつ脚フレームの上部側を外方より覆うコーナーカバーをコーナー支持部材に取り付けたことを特徴とするテーブルのフレーム構造。
【請求項２】
前記脚フレームの上端面を前記コーナー支持部材の上面支持板の下面と当接させた請求項１に記載のテーブルのフレーム構造。
【請求項３】
前記嵌合突起に雌ネジ孔を設け、天板支持フレームの嵌合溝に該嵌合突起を嵌合した状態で天板支持フレームの後面側からネジを挿通して前記雌ネジ孔とネジ結合した請求項１または２に記載のテーブルのフレーム構造。
【請求項４】
前記コーナーカバーは、前記脚フレームの内角側から脚フレームの上部と前記垂直支持板に設けた通孔を挿通するネジにより螺着した請求項１乃至３のいずれかに記載のテーブルのフレーム構造。
【請求項５】
前記天板支持フレームの上面部とコーナー支持部材の上面部が面一である請求項１乃至４のいずれかに記載のテーブルのフレーム構造。
【請求項６】
前記コーナーカバーは上面視略Ｌ字形であり、該Ｌ字形を成す一方の面が隣り合う一方の天板支持フレームの前面部と面一であり、Ｌ字形を成す他方の面が他方の天板支持フレームの前面部と面一である請求項１乃至５のいずれかに記載のテーブルのフレーム構造。
【請求項７】
前記天板支持フレームの上面部にはその長手方向に沿った複数の溝を有する凹凸面が形成され、コーナー支持部材の上面部にも複数の溝を有する凹凸面が形成され、天板支持フレーム、コーナー支持部材のすべての凹凸面の溝が連続している請求項１乃至６のいずれかに記載のテーブルのフレーム構造。
【請求項８】
前記天板支持フレームの前面部にはその長手方向に沿った複数の溝を有する凹凸面が形成され、Ｌ字形を成すコーナーカバーの２面にも複数の溝を有する凹凸面が形成され、天板支持フレーム、コーナーカバーのすべての凹凸面の溝が連続している請求項６および７に記載のテーブルのフレーム構造。
【請求項９】
前記天板支持フレームの前面部は上方から下方に向かい後方に後退するテーパー面部で構成され、Ｌ字形を成すコーナーカバーの一方の面が隣り合う一方の天板支持フレームのテーパー面部と同一のテーパー面部で構成され、Ｌ字形を成す他方の面が他方の天板支持フレームのテーパー面部と同一のテーパー面部で構成されている請求項６乃至８のいずれかに記載のテーブルのフレーム構造。
【発明の詳細な説明】
【技術分野】
【０００１】
本発明は、天板支持フレームの両端にコーナー支持部材の側端部を接続させて支持枠体を構成し、該支持枠体のコーナー支持部材の下方に脚フレームを設けて前記支持枠体を支持させ、該支持枠体の上部に天板を取り付けたテーブルのフレーム構造に関する。
【背景技術】
【０００２】
従来のテーブルの天板を支持する支持枠体は、４つのコーナー支持部材と４本の天板支持フレームから構成されている。コーナー支持部材の両側端部にはネジ孔が形成された嵌合突起が設けられ、下面部には下方に延びる嵌合突起が設けられるとともに、上下に貫通するネジ挿通孔が形成されている。天板支持フレームの端面部側にはコーナー支持部材の両側端部の嵌合突起が嵌合可能な嵌合溝が形成され、脚フレームの上端面側には前記下面部から下方に延びる嵌合突起が嵌合可能な嵌合溝とネジ部が形成されている。
【０００３】
そして、隣り合う天板支持フレームの連結は、コーナー支持部材の両側端部の嵌合突起を天板支持フレームの嵌合溝に各々嵌合した後、天板支持フレームの下面部に形成された通孔にネジを挿通して、嵌合突起のネジ穴に螺合することでコーナー支持部材に固定して、全体として矩形状の構造体である支持枠体を作り、また、脚フレームと支持枠体との連結は、コーナー支持部材の下面部から下方に延びる嵌合突起を脚フレームの上端部の嵌合溝に嵌合し、締付ボルトをコーナー支持部材の下面部のネジ挿通孔を介して脚フレームのネジ部に螺合することで、脚フレームの上端部がコーナー支持部材に固定され、支持枠体と連結される（特許文献１参照）。
【０００４】
【特許文献１】実開平５−３９３３１号公報（第１図）
【発明の開示】
【発明が解決しようとする課題】
【０００５】
しかしながら、特許文献１にあっては、コーナー支持部材と天板支持フレームの連結は、コーナー支持部材の構造的な制約から、ネジと嵌合突起に形成されたネジ孔との螺合による固定手段のみであり、コーナー支持部材の両側端部と天板支持フレームの端面を直接締め付けて結合する手段は備わっておらず、脚フレームの連結に対しては、コーナー支持部材の下面部と脚フレームの上端部とを上下方向に一本の締付ボルトでの締め付けのみであり、支持枠体の連結強度や脚フレームの支持強度が長期使用により低下する恐れがあった。
【０００６】
本発明は、このような問題点に着目してなされたもので、天板支持フレームの端面をボルトを介してコーナー支持部材の側端部と直接締め付けて結合することで支持枠体の連結強度を高め、脚フレームをコーナー支持部材の２面に当接させて連結することで支持強度の維持が図れるテーブルのフレーム構造を提供することを目的とする。
【課題を解決するための手段】
【０００７】
上記課題を解決するために、本発明の請求項１に記載のテーブルのフレーム構造は、天板支持フレームの両端にコーナー支持部材の側端部を接続させて支持枠体を構成し、該コーナー支持部材の下方に脚フレームを設けて前記支持枠体を支持させ、該支持枠体の上部に天板を取り付けたテーブルのフレーム構造であって、
前記コーナー支持部材は上面視略Ｌ字形の上面支持板と、この上面支持板の下面から下方に延設された上面視上面支持板と同じ向きのＬ字形の垂直支持板と、該垂直支持板の両側端部に接続した端部支持板と、該端部支持板の面部に直行して外方に突出する嵌合突起を有し、上面視略Ｌ字形の脚フレームの上部側を前記垂直支持板のＬ字面と接合し、前記天板支持フレームの両端面に前記嵌合突起が嵌合する嵌合溝と雌ネジ部とを設け、前記嵌合突起を嵌合溝と嵌合し、かつ前記端部支持板の嵌合突起の反対側から端部支持板に設けた通孔を挿通するボルトを前記雌ネジ部に螺合することにより両端部支持板と隣り合う天板支持フレームとを接合し、かつ脚フレームの上部側を外方より覆うコーナーカバーをコーナー支持部材に取り付けたことを特徴としている。
この特徴によれば、天板支持フレームはコーナー支持部材に対して、嵌合突起と嵌合溝による接続と、ボルトによる端面同士のネジ接続との両者で直接連結されているので、連結強度の高い強固な支持枠体が構築でき長期使用によっても支持枠体の連結強度が維持され、一方、脚フレームの上部側をコーナー支持部材の下方に延出する垂直支持板のＬ字の２面に接合することで、支持強度を高めることができる。また、コーナーカバーがボルト接続を外部から見えないように隠蔽できるばかりでなく、コーナー支持部材の強度上の補強効果がある。
【０００８】
本発明の請求項２に記載のテーブルのフレーム構造は、請求項１に記載のテーブルのフレーム構造であって、前記脚フレームの上端面を前記コーナー支持部材の上面支持板の下面と当接させたことを特徴としている。
この特徴によれば、前記上面支持板の下面を脚フレームの上端面に当接させることで、脚フレームのコーナー支持部材に対する当接支持面が増え、脚フレームの支持強度をより高めることができる。
【０００９】
本発明の請求項３に記載のテーブルのフレーム構造は、請求項１または２に記載のテーブルのフレーム構造であって、前記嵌合突起に雌ネジ孔を設け、天板支持フレームの嵌合溝に該嵌合突起を嵌合した状態で天板支持フレームの後面側からネジを挿通して前記雌ネジ孔とネジ結合したことを特徴としている。
この特徴によれば、嵌合突起を嵌合溝に嵌合した上でネジ結合しているので、コーナー支持部材と天板支持フレームの互いの連結がより強固に補強され、しかも、ネジが天板支持フレームの後面側から挿通されるので、ネジの取り付け位置がテーブルの外部から隠蔽される。
【００１０】
本発明の請求項４に記載のテーブルのフレーム構造は、請求項１乃至３のいずれかに記載のテーブルのフレーム構造であって、前記コーナーカバーは、前記脚フレームの内角側から脚フレームの上部と前記垂直支持板に設けた通孔を挿通するネジにより螺着したことを特徴としている。
この特徴によれば、コーナーカバーとコーナー支持部材とを結合するネジの取付位置がコーナー支持部材の後面部側に形成されることから、テーブルの外部から見えないようにできる。
【００１１】
本発明の請求項５に記載のテーブルのフレーム構造は、請求項１乃至４のいずれかに記載のテーブルのフレーム構造であって、前記天板支持フレームの上面部とコーナー支持部材の上面部が面一であることを特徴としている。
この特徴によれば、天板支持フレームの上面部とコーナー支持部材の上面部が面一であるので、天板の載置に何ら支障を生じさせる恐れがないばかりか、コーナー支持部材と天板支持フレームの上面部の継ぎ目を目立たせないようにできるので、例えば、天板を硝子テーブルとした場合にもテーブル上方からの体裁が良好である。
【００１２】
本発明の請求項６に記載のテーブルのフレーム構造は、請求項１乃至５のいずれかに記載のテーブルのフレーム構造であって、前記コーナーカバーは上面視略Ｌ字形であり、該Ｌ字形を成す一方の面が隣り合う一方の天板支持フレームの前面部と面一であり、Ｌ字形を成す他方の面が他方の天板支持フレームの前面部と面一であることを特徴としている。
この特徴によれば、隣り合う天板支持フレームの前面部とＬ字形を成すコーナーカバーのそれぞれの面と面一であるので、コーナー支持部材と天板支持フレームの前面部の継ぎ目を目立たせないようにでき、テーブル前面からの体裁が良好である。
【００１３】
本発明の請求項７に記載のテーブルのフレーム構造は、請求項１乃至６のいずれかに記載のテーブルのフレーム構造であって、前記天板支持フレームの上面部にはその長手方向に沿った複数の溝を有する凹凸面が形成され、コーナー支持部材の上面部にも複数の溝を有する凹凸面が形成され、天板支持フレーム、コーナー支持部材のすべての凹凸面の溝が連続していることを特徴としている。
この特徴によれば、長手方向に沿った複数の溝を有する凹凸面によって、コーナー支持部材と天板支持フレームの上面部の継ぎ目を極力目立たせないようにでき、しかもテーブルの外部からの体裁が良好でデザイン性にも優れる。
【００１４】
本発明の請求項８に記載のテーブルのフレーム構造は、請求項６または７に記載のテーブルのフレーム構造であって、前記天板支持フレームの前面部にはその長手方向に沿った複数の溝を有する凹凸面が形成され、Ｌ字形を成すコーナーカバーの２面にも複数の溝を有する凹凸面が形成され、天板支持フレーム、コーナーカバーのすべての凹凸面の溝が連続していることを特徴としている。
この特徴によれば、長手方向に沿った複数の溝を有する凹凸面によって、コーナー支持部材と天板支持フレームの前面部の継ぎ目を極力目立たせないようにでき、しかもテーブルの前面からの体裁が良好でデザイン性にも優れる。
【００１５】
本発明の請求項９に記載のテーブルのフレーム構造は、請求項６乃至８のいずれかに記載のテーブルのフレーム構造であって、前記天板支持フレームの前面部は上方から下方に向かい後方に後退するテーパー面部で構成され、Ｌ字形を成すコーナーカバーの一方の面が隣り合う一方の天板支持フレームのテーパー面部と同一のテーパー面部で構成され、Ｌ字形を成す他方の面が他方の天板支持フレームのテーパー面部と同一のテーパー面部で構成されていることを特徴としている。
この特徴によれば、天板支持フレームの前面部とコーナーカバーのＬ字形を成す２面はそれぞれ同一のテーパー面部によって構成されるので、通常のテーブルにない斬新性と周囲の視線を引き付けるデザイン性がある。
【発明を実施するための最良の形態】
【００１６】
本発明の実施例を以下に説明する。
【実施例】
【００１７】
図1は、本発明の実施例としてのテーブルの支持枠体構造の全体像を示す斜視図であり、図２は、テーブルの天板を支持する支持枠体を構成する各部材を示す分解斜視図であり、図３は、支持枠体を構成するコーナー支持部材と、正面の天板支持フレームと、脚フレームとの分解組立斜視図を示す図であり、図４は、コーナー支持部材の嵌合突起と天板支持フレームとの連結を示す断面図であり、図５は、コーナー支持部材にコーナーカバーを取り付ける分解組立斜視図を示す図であり、図６は、コーナー支持部材とコーナーカバーとの連結を示す断面図であり、図７は、正面と側面の天板支持フレームと、コーナー支持部材と、脚フレームと、コーナーカバーが連結された組立完成斜視図であり、図８は、支持枠体に天板を取り付けた状態を示すテーブルの斜視図である。
【００１８】
図１に示されるように、天板２の下面に沿うように設けられた前後の天板支持フレーム１４の両端にコーナーカバー３０を備えたコーナー支持部材３を設け、左前後と右前後のコーナー支持部材３間を天板支持フレーム１４’で連結することで支持枠体を構成する。これら４つのコーナー支持部材３の下端に脚フレーム２１が設けられ、支持枠体の上方より天板２を取り付けることで、テーブル１が構成されている。なお、脚フレーム２１の下端には下部プレート２５が設けられ、この下部プレート２５の下面にアジャスタ２８が取り付けられることで、テーブル１全体を支持している。
【００１９】
なお、このテーブル１は、主に会社役員等の役職向けのデスクワーク用テーブルとして製作されているが、その用途を特に限定するものではない。また、特に図示しないが、天板２の左右の下方空間には物品等を収容できるキャビネットを収納できるようになっている。
【００２０】
図２に示されるように、コーナー支持部材３は、上面視略Ｌ字形の上面支持板６と、この上面支持板６の下面から下方に延設された上面視上面支持板と同じ向きのＬ字形の垂直支持板７と、この垂直支持板７の両側端部に接続した端部支持板４、５と、この端部支持板４、５の面部に直行して外方に突出する嵌合突起１０、１１が形成されている。端部支持板４には面部に直行して後述する連結ボルトが挿通するボルト挿通孔４ａが形成され、同様に端部支持板５にも面部に直行してボルト挿通孔５ａが形成されている。
【００２１】
正面の天板支持フレーム１４の端面１８には、コーナー支持部材３の嵌合突起１０が嵌合可能な嵌合溝１８ａと連結ボルトが螺合する雌ネジ部１８ｂが形成され、側面の隣り合う天板支持フレーム１４’の端面１８’にも、天板支持フレーム１４と同様に嵌合突起１１が嵌合可能な嵌合溝１８ａ’と雌ネジ部１８ｂ’が形成されている。
【００２２】
上面視略Ｌ字形の脚フレーム２１の上部側は、後で説明するが、コーナー支持部材３のＬ字形垂直支持板７の２つの面に接合可能な形状になっている。コーナーカバー３０は、垂直支持板７と脚フレーム２１の上部側を外方より覆う正面と側面の２面の両翼からなるＬ字形の外面部３１を備えている。
【００２３】
そこで、上記したコーナー支持部材３、天板支持フレーム１４、脚フレーム２１のより詳細な説明と、コーナー支持部材３に天板支持フレーム１４、１４’と脚フレーム２１を取り付ける連結構造を具体的に説明する。なお、天板支持フレーム１４’については、天板支持フレーム１４と端面の断面形状が同じ構成の部材でコーナー支持部材３との連結も略同様の構成であるためコーナー支持部材３の側面側も含めて、以下の本実施例ではその説明を一部省略する。
【００２４】
図３に示されるように、コーナー支持部材３の上面支持板６正面側には、天板支持フレーム１４の長手方向と同一方向の複数の凹凸溝６ａが形成され、上面支持板６側面側には、天板支持フレーム１４’の長手方向と同一方向の複数の凹凸溝６ａ’（図７参照）が形成され、この凹凸溝６ａと凹凸溝６ａ’はそれぞれ中間位置で接続して、連続した略Ｌ字状溝に形成されている。
【００２５】
垂直支持板７の上部には、Ｌ字の一方の外側面７ｂから内側面７ａにかけて、ネジ１３が挿通可能なネジ挿通孔７ｃが３箇所形成されるとともに、コーナーカバー用固定ネジが挿通可能なネジ挿通孔７ｄが形成されており、Ｌ字の他方の外側面７ｂ’から内側面７ａ’にかけて、ネジ１３’が挿通可能なネジ挿通孔７ｃ’が３箇所形成されるとともに、コーナーカバー用固定ネジが挿通可能なネジ挿通孔７ｄ’が形成されている。
【００２６】
端部支持板４より突出する嵌合突起１０には、後面側から前面方向に向けて挿入される固定ネジ４３と螺合可能な雌ネジ孔１０ａが形成され、連結ボルト４１をコーナー支持部材３の内側から天板支持フレーム１４に向かって挿通する連結ボルトの挿通孔４ａが形成されている。
【００２７】
天板支持フレーム１４は、上面部１５、後面部１９、下面部１７、テーパー面部からなる前面部２０で構成され、テーパー面部は上方から下方に向かい後方に傾斜するテーパー面が形成されている。天板支持フレーム１４の端面１８側には、コーナー支持部材３の嵌合突起１０と嵌合可能な嵌合溝１８ａが形成されるとともに、連結ボルト４１と螺合可能な雌ネジ部１８ｂが略中心部に形成されている。後面部１９には後面側から前面側に向けて、固定ネジ４３を挿通可能な通孔１９ａ（図４参照）が形成されている。
【００２８】
上面部１５には天板支持フレーム１４の長手方向に沿って複数の溝が形成された凹凸面１５ａが形成され、前面部も同様に長手方向に沿って複数の溝が形成された凹凸面２０ａが形成されている。
【００２９】
脚フレーム２１の上部には、Ｌ字形の一方の外側面２３ａから内側面２２ａにかけて、ネジ１３が螺合可能なネジ穴２３ｂが前記のネジ挿通孔７ｃと連続できる位置に３箇所形成されるとともに、コーナーカバー用固定ネジが挿通可能なネジ挿通孔２２ｂが形成されており、Ｌ字形の他方の外側面２３ａ’から内側面２２ａ’にかけても、ネジ１３’が螺合可能なネジ孔２３ｂ’が３箇所形成されるとともに、コーナーカバー用固定ネジが挿通可能なネジ挿通孔２２ｂ’が形成されている。
【００３０】
そこで、上記したコーナー支持部材３と天板支持フレーム１４と脚フレーム２１の連結について説明する。
【００３１】
まず、コーナー支持部材３と脚フレーム２１の連結を説明する。脚フレーム２１の上端面２４を上面支持板６の内角側の下面に当接させ、脚フレーム２１のＬ字形の一方外側面２３ａと垂直支持板７のＬ字形の一方内側面７ａとを当接するとともに、脚フレーム２１のＬ字形の他方外側面２３ａ’と垂直支持板７のＬ字形の他方内側面７ａ’とを当接する。
【００３２】
そして、垂直支持板７の外側面７ｂ側から固定ネジ１３をネジ挿通孔７ｃに挿通し、脚フレーム２１のネジ穴２３ｂに螺合させ、同様に外側面７ｂ’側から固定ネジ１３’をネジ挿通孔７ｃ’に挿通し、ネジ穴２３ｂ’に螺合させることにより、コーナー支持部材３と脚フレーム２１の連結が行われる。
【００３３】
このように、脚フレーム２１はコーナー支持部材３とＬ字の２面で接合し、脚フレーム２１の上端面２４は上面支持板６の下面と当接することで、脚フレーム２１のコーナー支持部材３に対する当接支持面が増え、脚フレーム２１の支持強度をより高めることができる。
【００３４】
次いで、コーナー支持部材３と天板支持フレーム１４の連結を説明する。嵌合溝１８ａに嵌合突起１０を嵌入させ、天板支持フレーム１４の端面１８と端部支持板４とを接合させた状態で、連結ボルト４１を端部支持板４のボルト挿通孔４ａに挿通して天板支持フレーム１４の端面１８方向に延出させ、端面１８に形成した雌ネジ部１８ｂに螺合させることにより、天板支持フレーム１４とコーナー支持部材３の連結が行われている。
【００３５】
さらに、図４に示されるように、固定ネジ４３を天板支持フレーム１４の後面部１９に形成されたネジ挿通孔１９ａに挿通させ、嵌合溝１８ａに嵌入された嵌合突起１０の雌ネジ孔１０ａに螺合させながら締め上げていくことで、天板支持フレーム１４とコーナー支持部材３との位置固定が行われ、互いの連結が補強される。
【００３６】
このように、嵌合突起１０を嵌合溝１８ａに嵌合した上でネジ結合しているので、コーナー支持部材３と天板支持フレーム１４の互いの連結がより強固に補強され、しかも、固定ネジ４３が天板支持フレーム１４の後面側から挿通されるので、ネジの取り付け位置がテーブルの外部から隠蔽される。そして天板支持フレーム１４’についても同様な連結を行う。
【００３７】
次に、コーナー支持部材３へのコーナーカバー３０の取り付けについて説明する。まず、コーナーカバー３０の構造について図５により説明すると、コーナーカバー３０の天板支持フレーム１４側の外面部３１は、天板支持フレーム１４と同じ後方にかけて下方に傾斜するテーパー面が形成されており、天板支持フレーム１４’側の外面部３１も、天板支持フレーム１４’と同じ後方にかけて下方に傾斜するテーパー面が形成されている。
【００３８】
外面部３１の天板支持フレーム１４側に天板支持フレーム１４の凹凸面２０ａの溝と連続する溝が設けられた凹凸面３１ａが形成され、外面部３１の天板支持フレーム１４’側にも天板支持フレーム１４’の凹凸面２０ａ’の溝と連続する溝が設けられた凹凸面３１ｂが形成されている。コーナーカバー３０のＬ字の後面２面側には、それぞれ固定ネジ４５、４６が螺合するネジ穴３２ａ、３２ａ’が設けられたネジ受部３２、３２’が形成されている。
【００３９】
そこで、コーナーカバー３０の取り付けに際しては、図６に示されるように、コーナー支持部材３の外側を閉蓋するように、コーナーカバー３０を外側から嵌め込みながら取り付け、さらに詳しくは、固定ネジ４５を脚フレーム２１の内側面２２ａの後方からネジ挿通孔２２ｂと垂直支持板７のネジ挿通孔７ｄを介して挿通させ、ネジ受部３２のネジ受孔３２ａに螺合させながら締め上げていくことにより、コーナーカバー３０の位置固定を行っている。
【００４０】
固定ネジ４６の取り付けも固定ネジ４５と同様に、固定ネジ４６を脚フレーム２１の内側面２２ａ’の後方からネジ挿通孔２２ｂ’と垂直支持板７のネジ挿通孔７ｄ’を介して挿通させ、ネジ受部３２’のネジ受孔３２ａ’に螺合させながら締め上げていくことにより、コーナーカバー３０をより強固に位置固定する構成になっている。
【００４１】
このように、コーナーカバー３０を取り付けることにより、前述の固定ネジ１３、１３’、連結ボルト４１を外部から見えないように隠蔽できるばかりでなく、コーナー支持部材３の強度上の補強が行える。
【００４２】
しかも、コーナーカバー３０とコーナー支持部材３とを結合する固定ネジ４５、４６の取付位置が脚フレーム２１の内側面２２ａと２２ａ’側となることから、テーブル１の外部からは見えることがない。（図１、図８参照）
【００４３】
図７に示されるように、コーナー支持部材３の正面側に天板支持フレーム１４、コーナー支持部材３の側面側に天板支持フレーム１４’が連結されて支持枠体が構築され、コーナー支持部材３に脚フレーム２１が連結されることで、天板２を支持するテーブルが構成される。なお、本実施例においてはテーブル１（図１参照）の正面右側のコーナー側を中心に説明したが、他の正面左側、背面右側、背面左側のコーナー部の支持枠体におけるフレームの構造はすべて同一の構成であるので説明を省略する。
【００４４】
コーナー支持部材３と天板支持フレーム１４が連結された状態となると、天板支持フレーム１４の凹凸面１５ａとコーナー支持部材３の凹凸面６ａが面一となり、天板支持フレーム１４の長さ方向に沿って凹凸面１５ａと凹凸面６ａに設けられた溝が同位置で連接される。
【００４５】
同様に、コーナー支持部材３と天板支持フレーム１４’が連結された状態となると、天板支持フレーム１４’の凹凸面１５ａ’とコーナー支持部材３の凹凸面６ａ’が面一となり、天板支持フレーム１４’の長さ方向に沿って凹凸面１５ａ’と凹凸面６ａ’に設けられた溝が同位置で連接される。
【００４６】
このように、コーナー支持部材３と天板支持フレーム１４、１４’の上面が面一であるので、天板２の載置に何ら支障を生じさせる恐れがないことから、コーナー支持部材３と天板支持フレーム１４、１４’の上面の継ぎ目を目立たせないようにできるので、例えば、天板２を透過性のある硝子テーブルとした場合にもテーブル１の上方からの体裁が良好である。
【００４７】
しかも、コーナー支持部材３と天板支持フレーム１４、１４’の継ぎ目を複数の溝を有する凹凸面６ａ、１５ａ、１５ａ’によって、極力目立たせないようにでき、しかもテーブル１の外部からの体裁が良好でデザイン性にも優れる。
【００４８】
また、コーナー支持部材３、天板支持フレーム１４が連結された状態では、天板支持フレーム１４の凹凸面２０ａとコーナーカバー３０の凹凸面３１ａが面一となり、天板支持フレーム１４の長さ方向に沿って凹凸面２０ａと凹凸面３１ａに設けられた溝が同位置で連接される。
【００４９】
同様に、コーナー支持部材３、天板支持フレーム１４’が連結された状態では、天板支持フレーム１４’の凹凸面２０ａ’とコーナーカバー３０の凹凸面３１ｂが面一となり、天板支持フレーム１４’の長さ方向に沿って凹凸面２０ａ’と凹凸面３１ｂに設けられた溝が同位置で連接される。なお、この凹凸溝６ａと凹凸溝６ａ’はそれぞれ中間位置で接続して、連続した略Ｌ字状溝に形成されている。
【００５０】
このように、長手方向に沿った複数の溝を有する凹凸面２０ａと３１ａが面一となり、凹凸面２０ａ’と３１ｂとが面一となることによって、コーナー支持部材３と天板支持フレーム１４のテーパー面の継ぎ目と、コーナー支持部材３と天板支持フレーム１４’のテーパー面の継ぎ目とを極力目立たせないようにでき、しかもテーブル１の前面及び側面からの体裁が良好でデザイン性にも優れる。
【００５１】
しかも、コーナーカバー３０と天板支持フレーム１４、１４’の前面側は、前面から後面に向かって傾斜する同一のテーパー面によって構成され、各凹凸溝３１ａ、３１ｂ、２０ａ、２０ａ’はすべて連続しているので、通常のテーブルにない斬新性と周囲の視線を引き付けるデザイン性がある。
【００５２】
続いて天板２の取り付けについて説明する。図８に示されるように、天板支持フレーム１４の後面部１９には、Ｌ字状に屈曲した取付金具４７がネジ５１で固定され、天板支持フレーム１４’の後面部１９’には、Ｌ字状に屈曲した取付金具４８がネジ５０で固定されており、取付金具４７と取付金具４８の上端面には、それぞれ取付孔４７ａ、４８ａが形成されている。
【００５３】
予め天板２の下面には取付穴（図示略）が所定の取付位置に複数形成されている。この天板２を取付金具４７と取付金具４８の上端面に載置したのち、取付孔４７ａ、４８ａと天板の取付穴が重なる所定位置で、下方よりネジ４９、５０を取付孔４７ａ、４８ａを介して、それぞれの取付穴に螺合させることで、天板２の取り付けが行われ、テーブル１（図１参照）の組み立てが完成する。なお、取付金具の数と取付位置は天板の大きさにより適宜選定される。
【００５４】
本発明であるフレーム構造が適用された本実施例のテーブル１では、天板支持フレーム１４、１４’はコーナー支持部材３に対して、嵌合突起１０、１１と嵌合溝１８ａ、１８ａ’による接続と、連結ボルト４１による端面同士のネジ接続との両者で直接連結されているので、連結強度の高い強固な支持枠体が構築でき長期使用によっても支持枠体の連結強度が維持され、一方、脚フレーム２１の上部側をコーナー支持部材３の下方に延出する垂直支持板７のＬ字の２面に接合することで、支持強度を高めることができる。また、コーナーカバー３０がボルト接続を外部から見えないように隠蔽できるばかりでなく、コーナー支持部材３の強度上の補強効果がある。
【００５５】
以上、本発明の実施例を図面により説明してきたが、具体的な構成はこれら実施例に限られるものではなく、本発明の要旨を逸脱しない範囲における変更や追加があっても本発明に含まれ、例えばコーナー支持部材３と天板支持フレーム１４を一本の連結ボルト４１のみでなく、複数の連結ボルトを用いて強固に連結するようにしても良い。
【００５６】
また、上記実施例では、コーナーカバー３０を固定ネジ４５、４６によって取り付けることで、強固に取り付けを行うようにしているが、本発明はネジ固定に限定されるものではなく、コーナーカバー３０の周縁の一部に嵌合突片を設けて嵌合固定を行うようにしても良い。
【００５７】
更に、上記実施例では、４つの天板支持フレームを連結して支持枠体を構成しているが、天板支持フレームは３つ以上であればよく、その数は特に限定されるものではない
【図面の簡単な説明】
【００５８】
【図１】本発明の実施例におけるテーブルのフレーム構造の全体像を示す斜視図である。
【図２】テーブルの天板を支持する支持枠体を構成する各部材を示す分解斜視図である。
【図３】支持枠体を構成するコーナー支持部材と、正面の天板支持フレームと、脚フレームとの分解組立斜視図を示す図である。
【図４】コーナー支持部材の嵌合突起と天板支持フレームとの連結を示す断面図である。
【図５】コーナー支持部材にコーナーカバーを取り付ける分解組立斜視図を示す図である。
【図６】コーナー支持部材とコーナーカバーとの連結を示す断面図である。
【図７】正面と側面の天板支持フレームと、コーナー支持部材と、脚フレームと、コーナーカバーが連結された組立完成斜視図である。
【図８】支持枠体に天板を取り付けた状態を示すテーブルの斜視図である。
【符号の説明】
【００５９】
１                テーブル
２                天板
３                コーナー支持部材（支持枠体の一部）
４                端部支持板
４ａ              ボルト挿通孔
５                端部支持板
５ａ              ボルト挿通孔
６                上面支持板
６ａ、６ａ’      凹凸面
７                垂直支持板
７ａ、７ａ’      正面の内側面、側面の内側面
７ｂ、７ｂ’      正面の外側面、側面の外側面
７ｃ、７ｃ’      ネジ挿通孔
７ｄ、７ｄ’      ネジ挿通孔
７ｅ、７ｅ’      側端部
１０              嵌合突起
１０ａ            雌ネジ孔
１１              嵌合突起
１３、１３’      固定ネジ
１４              正面の天板支持フレーム（支持枠体の一部）
１４’            側面の天板支持フレーム（支持枠体の一部）
１５              上面部
１５ａ            凹凸面
１７              下面部
１８、１８’      端面
１８ａ、１８ａ’  嵌合溝
１８ｂ、１８ｂ’  雌ネジ部
１９              後面部
１９ａ            ネジ挿通孔（通孔）
２０、２０’      前面部
２０ａ、２０ａ’  凹凸面
２１              脚フレーム（支持枠体の一部）
２２ａ、２２ａ’  正面の内側面、側面の内側面
２２ｂ、２２ｂ’  ネジ挿通孔
２３ａ、２３ａ’  正面の外側面、側面の外側面
２３ｂ、２３ｂ’  ネジ穴
２４              上端面
２４’            下端面
２４ａ            ネジ取付溝
２４ｂ            嵌合溝
２５              下部プレート
２８              アジャスタ
３０              コーナーカバー
３１              外面部
３１ａ            凹凸面（正面の天板支持フレーム側）
３１ｂ            凹凸面（側面の天板支持フレーム側）
３２、３２’      ネジ受部
３２ａ、３２ａ’  ネジ穴
４１              連結ボルト
４３              固定ネジ（嵌合突起の位置固定）
４５、４６        固定ネジ（コーナーカバーの位置固定）
４７              取付金具
４７ａ            取付孔
４８              取付金具
４８ａ            取付孔
４９、５０        ネジ
５１、５２        ネジ
【図１】
2005185600.tif 000003
【図２】
2005185600.tif 000004
【図３】
2005185600.tif 000005
【図４】
2005185600.tif 000006
【図５】
2005185600.tif 000007
【図６】
2005185600.tif 000008
【図７】
2005185600.tif 000009
【図８】
2005185600.tif 000010